【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
連写撮影が可能な撮像装置であって、
撮像画面の複数の焦点検出領域のそれぞれでデフォーカス量を検出するデフォーカス量検出手段と、
前記複数の焦点検出領域に対応する複数の測光領域を有し、該複数の測光領域のそれぞれで測光する測光手段と、
前記デフォーカス量検出手段により検出されたデフォーカス量に基づいて、前記複数の測光領域のそれぞれの重み付け量を決定する重み付け手段と、
前記測光手段により前記複数の測光領域のそれぞれで測光されて得られた複数の測光値と、前記重み付け手段により決定された前記複数の測光領域のそれぞれの重み付け量と、に基づいて撮像時の露出量を決定する露出決定手段と、を有し、
前記露出決定手段は、連写撮影中の１回の撮影について、
前回の撮影が終了してから開始された前記デフォーカス量検出手段によるデフォーカス量の検出が、今回の撮影の露出量を決定するまでに完了する場合、当該検出により検出されたデフォーカス量に基づいて前記重み付け手段により決定された前記複数の測光領域のそれぞれの重み付け量を用いて、今回の撮影の露出量を決定し、
前回の撮影が終了してから開始された前記デフォーカス量検出手段によるデフォーカス量の検出が、今回の撮影の露出量を決定するまでに完了しない場合、前回の撮影の開始よりも前に開始された前記デフォーカス量検出手段によるデフォーカス量の検出により検出されたデフォーカス量に基づいて前記重み付け手段により決定された前記複数の測光領域のそれぞれの重み付け量を用いて、今回の撮影の露出量を決定することを特徴とする撮像装置。
【請求項２】
前記複数の焦点検出領域のそれぞれのデフォーカス量の信頼度を決定する信頼度決定手段を有し、
前記重み付け手段は、前記デフォーカス量と前記信頼度決定手段により決定された信頼度とに基づいて、前記複数の測光領域のそれぞれの重み付け量を決定すること特徴とする請求項１に記載の撮像装置。
【請求項３】
前記露出決定手段は、前回の撮影が終了してから開始された前記デフォーカス量検出手段によるデフォーカス量の検出が、今回の撮影の露出量を決定するまでに完了する場合、
前記複数の焦点検出領域の中に前記信頼度決定手段で決定された信頼度が予め決められた閾値より高い領域があるときは、当該検出により検出されたデフォーカス量に基づいて前記重み付け手段により決定された前記複数の測光領域のそれぞれの重み付け量を用いて、今回の撮影の露出量を決定し、
前記複数の焦点検出領域の中に前記信頼度決定手段で決定された信頼度が前記閾値より高い領域がないときは、前回の撮影の開始よりも前に開始された前記デフォーカス量検出手段によるデフォーカス量の検出により検出されたデフォーカス量に基づいて前記重み付け手段により決定された前記複数の測光領域のそれぞれの重み付け量を用いて、今回の撮影の露出量を決定することを特徴とする請求項２に記載の撮像装置。
【請求項４】
前記露出決定手段は、今回の撮影の露出量を決定するために所定時間より前に開始された前記デフォーカス量検出手段によるデフォーカス量の検出により検出されたデフォーカス量に基づいて前記重み付け手段により決定された前記複数の測光領域のそれぞれの重み付け量は、今回の撮影の露出量の決定に用いないことを特徴とする請求項１乃至３の何れか１項に記載の撮像装置。
【請求項５】
前記露出決定手段は、前記デフォーカス量検出手段によりデフォーカス量が検出されていない場合、前記複数の測光領域のそれぞれの測光値を、前記撮像画面の所定の位置にある測光領域に重きをおいた重み付け量を用いて露出量を決定することを特徴とする請求項１乃至４の何れか１項に記載の撮像装置。
【請求項６】
連写撮影が可能な撮像装置の制御方法であって、
前記撮像装置のデフォーカス量検出手段が、撮像画面の複数の焦点検出領域のそれぞれでデフォーカス量を検出するデフォーカス量検出工程と、
前記撮像装置の測光手段が、前記複数の焦点検出領域に対応する複数の測光領域を有し、該複数の測光領域のそれぞれで測光する測光工程と、
前記撮像装置の重み付け手段が、前記デフォーカス量検出工程において検出されたデフォーカス量に基づいて、前記複数の測光領域のそれぞれの重み付け量を決定する重み付け工程と、
前記撮像装置の露出決定手段が、前記測光工程において前記複数の測光領域のそれぞれで測光されて得られた複数の測光値と、前記重み付け工程において決定された前記複数の測光領域のそれぞれの重み付け量と、に基づいて撮像時の露出量を決定する露出決定工程と、を有し、
前記露出決定手段は前記露出決定工程において、連写撮影中の１回の撮影について、
前回の撮影が終了してから開始された前記デフォーカス量検出工程が、今回の撮影の露出量を決定するまでに完了する場合、当該検出工程において検出されたデフォーカス量に基づいて前記重み付け工程において決定された前記複数の測光領域のそれぞれの重み付け量を用いて、今回の撮影の露出量を決定し、
前回の撮影が終了してから開始された前記デフォーカス量検出工程が、今回の撮影の露出量を決定するまでに完了しない場合、前回の撮影の開始よりも前に開始された前記デフォーカス量検出工程において検出されたデフォーカス量に基づいて前記重み付け工程において決定された前記複数の測光領域のそれぞれの重み付け量を用いて、今回の撮影の露出量を決定することを特徴とする撮像装置の制御方法。
【手続補正２】
【補正対象書類名】明細書
【補正対象項目名】０００８
【補正方法】変更
【補正の内容】
【０００８】
前述の目的を達成するために、本発明にかかる撮像装置は、連写撮影が可能な撮像装置であって、撮像画面の複数の焦点検出領域のそれぞれでデフォーカス量を検出するデフォーカス量検出手段と、複数の焦点検出領域に対応する複数の測光領域を有し、該複数の測光領域のそれぞれで測光する測光手段と、デフォーカス量検出手段により検出されたデフォーカス量に基づいて、複数の測光領域のそれぞれの重み付け量を決定する重み付け手段と、測光手段により複数の測光領域のそれぞれで測光されて得られた複数の測光値と、重み付け手段により決定された複数の測光領域のそれぞれの重み付け量と、に基づいて撮像時の露出量を決定する露出決定手段と、を有し、露出決定手段は、連写撮影中の１回の撮影について、前回の撮影が終了してから開始されたデフォーカス量検出手段によるデフォーカス量の検出が、今回の撮影の露出量を決定するまでに完了する場合、当該検出により検出されたデフォーカス量に基づいて重み付け手段により決定された複数の測光領域のそれぞれの重み付け量を用いて、今回の撮影の露出量を決定し、前回の撮影が終了してから開始されたデフォーカス量検出手段によるデフォーカス量の検出が、今回の撮影の露出量を決定するまでに完了しない場合、前回の撮影の開始よりも前に開始されたデフォーカス量検出手段によるデフォーカス量の検出により検出されたデフォーカス量に基づいて重み付け手段により決定された複数の測光領域のそれぞれの重み付け量を用いて、今回の撮影の露出量を決定することを特徴とする。
【手続補正３】
【補正対象書類名】明細書
【補正対象項目名】００２４
【補正方法】変更
【補正の内容】
【００２４】
ステップＳ３０６で、制御部１０１は、焦点検出部１１１に複数の焦点検出領域毎の焦点検出センサのコントラスト情報を検出させる。なお、本ステップは合焦動作後、ステップＳ３０５のデフォーカス量検出の開始とともに開始されればよく、制御部１０１は、ステップＳ３０５と、ステップＳ３０６からステップＳ３０７までの処理とを、同時に並行して処理するものとする。また、ステップＳ３０５で説明したように、制御部１０１はデフォーカス量の演算を開始させてから所定の時間経過後に処理をステップＳ３０８に移すが、このとき、後述のステップＳ３０７までの処理が完了するように、所定の時間の値は決定されるものとする。
【手続補正４】
【補正対象書類名】明細書
【補正対象項目名】００３８
【補正方法】変更
【補正の内容】
【００３８】
ステップＳ３１６で、制御部１０１は、操作入力部１０３のレリーズボタンへのユーザからの入力が継続しているか判断することにより、連写撮影を継続するか終了するかを判断する。操作入力部１０３のレリーズボタンへのユーザからの入力が継続している場合は、制御部１０１は連写撮影が終了していないと判断し、処理をステップＳ３０３に移し、連続する次の撮影を行う。また、操作入力部１０３のレリーズボタンへのユーザからの入力がない場合は、制御部１０１は連写撮影が終了したと判断し、連写撮影処理を終了する。